(57)【要約】【課題】  本発明の目的は、通気性と省スペース性と見栄えと経済性と使い勝手に配慮したパソコンを提供することにある。【解決手段】  本発明のパソコン１０は、CPUなどの演算装置が直方体の筐体１４に収納されており、前記筐体１４の底面を上げるための脚１８を備え、前記筐体１４の下にキーボード１２等を収納するためのスペースを確保出来るようにしたことを特徴とする。筐体１４の下方にキーボード１２を収納する。【選択図】    図１
2005157937.tif 000002
【特許請求の範囲】
【請求項１】
演算装置が直方体の筐体に収納されたパソコンにおいて、
前記筐体の底面を上げるための脚を備え、前記筐体の下にキーボード等を収納するためのスペースを確保出来るようにしたことを特徴とするパソコン。
【請求項２】
前記筐体の底面および裏面に設けた通風口を含む請求項１に記載のパソコン。
【請求項３】
前記裏面に設けた通風口から、筐体内を換気するファンを含む請求項２に記載のパソコン。
【発明の詳細な説明】
【技術分野】
【０００１】
本発明は、通気性と省スペース性と見栄えと経済性と使い勝手に配慮したパーソナル・コンピュータ（本明細書において、「パソコン」と言う。）に関するものである。
【背景技術】
【０００２】
現在、多少の違いはあるが、企業のオフィスにはパソコンが当然のように導入されている。企業の書類は、パソコンで作成されている。
【０００３】
机の上にデスクトップ・パソコンを置くと、机上のスペースが狭くなる。書類が多くなると、机上のスペースがますます狭くなる。さらには、デスクトップ・パソコンの内部を冷却する空気の流れも悪くなり、フリーズする確率が高くなることもある。
【０００４】
ディスプレイの下端にキーボードを接続したパソコンもある。接続部でキーボードが動かせるようになっている。収納時にはディスプレイの前面にキーボードが引っ付き、使用時はキーボードをディスプレイから倒して使用する。場合によってはディスプレイからキーボードをはずして使用する。しかし、キーボードを自由に配置するためには、いちいち取り外す必要があり、使用に際して不便である。また、キーボードとディスプレイの接続機構が複雑になり、製造コストが高くなる。
【０００５】
ノート型パソコンは、キーボードと本体とが一体化してあり、折り畳めるため、省スペース性を確保されている。しかし、デスクトップ・パソコンと比較してコストが高く、小型化されているためにキーボードが使いづらい欠点がある。
【０００６】
特許文献１は、ＣＲＴのディスプレイの上面に凸部を設けて、ＣＲＴのディスプレイの上面にキーボードを置くことによってキーボードを収納することが開示されている。しかし、ＣＲＴのディスプレイから誤ってキーボードを落としてしまうと、キーボードを破損することとなる。近年、液晶ディスプレイが主流となりつつあるため、液晶ディスプレイでは特許文献１のような構成が成立しない。
【０００７】
特許文献２は、ディスプレイ用ベースの下にキーボード収納部を設けたディスプレイが開示されている。ディスプレイの下にキーボードを収納できても、机上にパソコン本体を設置するスペースが必要である。キーボードが収納されるだけでは、完全には上記の問題を解決したことには成らない。パソコン本体の周辺に書類がたまったとき、パソコン本体の内部を冷却するための空気の流れが悪くなり、フリーズする確率が高くなることもある。
【特許文献１】特開平０９−３１９３１２号公報（図１参照）
【特許文献２】特開２０００−３１５１２３号公報（図１参照）
【発明の開示】
【発明が解決しようとする課題】
【０００８】
本発明の目的は、通気性と省スペース性と見栄えと経済性と使い勝手に配慮したパソコンを提供することにある。
【課題を解決するための手段】
【０００９】
本発明のパソコンの要旨は、CPUなどの演算装置が直方体の筐体に収納されたパソコンにおいて、記筐体の底面を上げるための脚を備え、前記筐体の下にキーボード等を収納するためのスペースを確保出来るようにしたことを特徴とする。必要に応じてキーボード等を筐体の下から取り出して使用する。
【００１０】
また本発明のパソコンは、前記筐体の底面および裏面に設けた通風口を含む。これらの通風口を利用して筐体内の冷却をおこなう。
【００１１】
前記裏面に設けた通風口から、筐体内の空気を排気するファンと、を含めてもよい。通風口とファンを利用して筐体内へ空気を送り、筐体内の冷却をおこなう。
【００１２】
さらに本発明のパソコンは、前記筐体とディスプレイとが一体となったパソコンであってもよい。
【発明の効果】
【００１３】
本発明のパソコンは、パソコン本体にキーボードを簡便に収納できるスペースが確保されているので、キーボードの非使用時に作業スペースを節約でき、見栄えもよくなる。また、キーボードの収納が簡便となるように配慮した構造であるため使い勝手もよい。さらには、構造が比較的単純であるため製造コストが低く済み、経済性も高い。
【００１４】
筐体の底面には空間があいており、この空間を利用して筐体内への空気の出し入れをおこなうため、筐体内の演算装置の冷却効率が上がる。
【００１５】
パソコン本体の筐体とディスプレイとが一体となったパソコンであれば、配線などが減り、机上へのパソコンの設置が容易で且つ配線の少ないことにより美観がよくなる。
【発明を実施するための最良の形態】
【００１６】
本発明に係るパソコンの実施例について、図面を使用して説明する。本発明のパソコンはデスクトップ・パソコンである。本説明において、符号１８は、１８ａ，１８ｂ，１８ｃを総括的に示す。
【００１７】
図１に示す本発明のパソコン１０は、キーボード１２と、キーボード１２の操作で動作する演算装置が直方体の筐体１４に収納されたパソコン本体１６と、筐体１４の底面を机の上方に上げて、キーボード１２を筐体１４の下に収納するための脚１８と、筐体１４の上面に置かれたディスプレイ２０と、を含む。なお、図１にはフロッピー（Ｒ）ディスクなどのドライブを表示しているが、ドライブレスであってもよい。
【００１８】
図２ａ，ｂに示すように、脚１８は、筐体１４の底面の四隅に設ける棒状体１８ａ、または、底面の両側辺に設ける板体１８ｂである。脚１８の高さは約５〜１０ｃｍとする。これは、キーボード１２を収納するだけであれば、３ｃｍくらいあれば十分であるが、キーボード１２をつかむ手の分を考慮するためである。また、図２ｃに示すように、曲線形状を含む板体１８ｃとして、美観を向上させてもよい。
【００１９】
パソコン１０を使用するときは、キーボード１２を筐体１４の下から取り出して使用する。パソコン１０を使用せず、机上で作業を行うときには、キーボード１２を筐体１４の下に収納する。したがって、キーボード１２を簡便に収納できるスペースが確保されているので、キーボード１２の非使用時に作業スペースを節約でき、机上の見栄えもよくなる。また、キーボード１２の収納が簡便となるように配慮した構造であるため使い勝手もよい。さらには、構造が比較的単純であるため製造コストが低く済み、ディスプレイにキーボードを接続したパソコンと比較して経済性も高い。
【００２０】
また、筐体１４の下にキーボード１２とともにマウス２２も収納できるようにしてもよい。したがって、筐体１４の底面の面積は、キーボード１２とマウス２２を収納できるだけの面積である。小型のキーボード１２を使用すれば、紙の大きさにしてＡ４ないしはＢ５ほどの面積となる。筐体１４の底面の面積にあわせて、筐体１４内に配設されるマザーボードの面積を変える。現在のデスクトップ・パソコンに使用されるマザーボードよりも底面積となるため、必要に応じてマザーボードを多層積層板で構成する。筐体１４の底面の面積がＡ４ないしはＢ５ほどの面積となれば、現在のノート型パソコンと比較しても、机上のパソコン設置面積の差異がなくなる。なお、マウス２２にはマウスパッド２４を含めてもよい。また、キーボード１２やマウス２２など以外に、書類などを収納できる構成であってもよく、筐体１４の下を机上の収納スペースとすることができる。
【００２１】
筐体１４は、直方体の形状に適宜曲線形状を加えて美観を向上させてもよい。さらには、筐体１４の形状は立方体を含めてもよい。
【００２２】
筐体１４の上面に置かれるディスプレイ２０は、液晶ディスプレイを使用する。液晶ディスプレイであれば小型軽量であるため、小さな筐体１４の上に置くことが可能となる。筐体１４および脚１８に特殊な金属を使用して、強度を上げる必要もない。
【００２３】
図３ａ，ｂに本発明と従来の机２６の上にしめるパソコン１０の占有面積を示す。両図より、本発明の方がはるかに机２６の上がすっきりしているのがわかる。
【００２４】
さらに本発明のパソコン１０は、図４に示すように、筐体１４の底面および裏面に通風口２８ａ，２８ｂを設ける。この通風口２８ａ，２８ｂを利用して筐体１４内へ空気を送り、筐体１４内の冷却をおこなう。演算装置などが低消費電力で、ファンを必要としないものであれば、図４の矢印３２のような空気の対流で冷却できる。
【００２５】
筐体１４の底面から冷却用の空気を筐体１４内に入れるため、筐体１４の側面に通風口を設けた場合と比較して、筐体１４内にほこりが入りにくい構造となっている。したがって、従来の側面に設けられた通風口と比較して大きな通風口を設けることができ、筐体１４内の冷却効率がよくなる。また、机上にしめるパソコン１０の面積が狭いため、机上がよく整理され、パソコン１０への風通しもよくなり、筐体１４内の冷却効率がいっそう上がる。従来と比較して、筐体１４内の机上がよく整理され、筐体１４への風通しがよく、冷却効率がよくなるため、パソコン１０がいわゆるフリーズする確率が低くなる。
【００２６】
なお、筐体１４内には、裏面の通風口２８ｂから内部の空気を排出するためのファンを設けてもよい。ファンによって、筐体１４の底面に設けられた通風口２８ａから筐体１４内に空気が入ることとなり、筐体１４内に風が通り、換気が行える。
【００２７】
また、筐体１４とディスプレイ２０とが一体になっていてもよい。配線が少なくなることによって、机上への設置が容易であり、且つ、美観がよくなる。
【００２８】
さらに、脚１８は、カメラの三脚のように伸縮できる構成してもよい。脚１８が伸縮できるようにすることによって、好みのディスプレイ２０を好みの高さにすることができ、パソコン１０の使用時の姿勢を正すことも可能となる。
【００２９】
その他、脚１８は取り外しや折り畳みができるように構成し、必要に応じて脚１８を立ててキーボードを収納できるようにしてもよい。
【００３０】
以上、本発明の実施形態を説明したが、本発明は上記の実施形態に限定されることはない。その他、本発明は、主旨を逸脱しない範囲で当業者の知識に基づき種々なる改良、修正、変更を加えた態様で実施できるものである。
【図面の簡単な説明】
【００３１】
【図１】本発明のパソコンの構成を示す図である。
【図２】筐体を側面から見た場合の底面の脚を示す図であり、（ａ）は底面の四隅に棒状体の脚を設けた構成であり、（ｂ）は底面の側辺に板体の脚を設けた構成であり、（ｃ）は（ｂ）の板体に曲線を加えて美観を向上させた構成ある。
【図３】机上のパソコンの占有面積を示す図であり、（ａ）は本発明の場合の面積を示し、（ｂ）は従来の場合の面積を示す。
【図４】筐体に設けた通風口と空気の流れを示す図である。
【符号の説明】
【００３２】
１０：パソコン
１２：キーボード
１４：筐体
１６：パソコン本体
１８：脚
２０：ディスプレイ
【図１】
2005157937.tif 000003
【図２】
2005157937.tif 000004
【図３】
2005157937.tif 000005
【図４】
2005157937.tif 000006